(57)【要約】【課題】  蓋の先端に設けられた舌片が側板に糊付けされたものであっても、容易にかつ正確に破断して展開することができる包装箱を提供する。【解決手段】  本体１と、主蓋２と、副蓋３とを備え、副蓋３は、副蓋舌片３ｂに副蓋糊付け部３ｃを有し、主蓋２は、主蓋舌片２ｂに設けられた引き代５と、引き代５の両側の主蓋先端糊付け部２ｃと、副蓋糊付け部３ｃにそれぞれ糊付けされる主蓋側端糊付け部２ｄとを有し、包装箱の本体１は、主蓋先端糊付け部２ｃに糊付けされる側板糊付け部１ｈを有し、主蓋舌片２ｂには、主蓋舌片２ｂから分離されるように破断誘導する主蓋先端裂開部６が設けられ、主蓋側端糊付け部２ｄには、主蓋側端糊付け部２ｄを囲むように設けられ、主蓋２から分離されるように破断誘導する主蓋側端裂開部７を有している。【選択図】      図１
2005324821.tif 000002
【特許請求の範囲】
【請求項１】
平面に展開可能な略直方体の包装箱であって、
底板及び両側板を有する本体と、この本体の一方の側板に連なって底板に対向する主蓋と、底板の両端に連なる一対の副蓋とを備え、
上記一対の副蓋は、それぞれ底板との連結部を折り目として、この折り目を軸にして包装箱の本体に対して開閉可能に設けられるとともに、先端に延設された副蓋舌片と、この副蓋舌片の外面の所定範囲に設定された副蓋糊付け部とを有し、
上記主蓋は、本体の一方の側板との連結部を折り目として、この折り目を軸にして包装箱の本体に対して開閉可能に設けられるとともに、先端に延設された主蓋舌片と、主蓋舌片の先端内面に設定された主蓋先端糊付け部と、それぞれの副蓋舌片に重ね合わされる主蓋の各所定範囲に設定されて、副蓋糊付け部にそれぞれ糊付けされる一対の主蓋側端糊付け部とを有し、
上記包装箱の本体は、主蓋舌片に重ね合わされる上記他方の側板の所定範囲に設定されて、主蓋糊付け部に糊付けされる側板糊付け部を有し、
上記主蓋舌片には、主蓋糊付け部が側板糊付け部に糊付けされた状態で主蓋舌片から分離されるように破断誘導する主蓋先端裂開部が設けられ、
上記一対の主蓋側端糊付け部には、主蓋側端糊付け部を囲むように設けられ、主蓋側端糊付け部が副蓋糊付け部に糊付けされた状態で、主蓋から分離されるように破断誘導する主蓋側端裂開部を有していることを特徴とする包装箱。
【請求項２】
上記主蓋は、主蓋舌片に設けられた引き代を備え、
上記主蓋先端糊付け部は、主蓋舌片の先端内面の引き代の両側の一対の所定範囲に設定され、
上記側板糊付け部は、一対の主蓋糊付け部に糊付けされるべく、上記他方の側板の一対の所定範囲にそれぞれ設定され、
上記主蓋先端裂開部は、引き代の両側に設けられ、一対の主蓋糊付け部がそれぞれ側板糊付け部に糊付けされた状態で主蓋舌片から分離されるように破断誘導するものであることを特徴とする請求項１に記載の包装箱。
【請求項３】
上記包装箱の本体は、主蓋舌片に重ね合わされる上記他方の側板に設けられた引き代受けスリットを備えたことを特徴とする請求項２に記載の包装箱。
【請求項４】
上記主蓋側端裂開部の少なくとも一方は、主蓋の開放側端の辺の一の位置から始まり主蓋舌片側に傾く方向に形成された第１の破断誘導部と、上記開放側端の辺に概ね平行に形成された第２の破断誘導部と、上記開放側端の辺の他の位置で終わる第３の破断誘導部とから構成されていることを特徴とする請求項１ないし請求項３のいずれかに記載の包装箱。
【請求項５】
上記第３の破断誘導部は、第１の破断誘導部に概ね平行に形成されていることを特徴とする請求項４に記載の包装箱。
【請求項６】
上記第１の破断誘導部と第２の破断誘導部とは、主蓋舌片に対する最近接部において、それぞれの破断誘導部の破断を誘導する一つの略Ｕ字状の切れ目に接続されているものであることを特徴とする請求項４もしくは請求項５のいずれかに記載の包装箱。
【請求項７】
少なくとも上記本体および主蓋の内面には、情報を示す表示部が設けられていることを特徴とする請求項１ないし請求項６のいずれかに記載の包装箱。
【発明の詳細な説明】
【技術分野】
【０００１】
本発明は、例えば食品、化粧品、医薬品等の包装箱に関するものである。
【背景技術】
【０００２】
例えば食品、化粧品、医薬品等の包装箱として、４枚の側板で構成される本体の上下２つの開口に蓋が設けられたものが知られている。
【０００３】
このような包装箱は、一般に、それぞれの蓋が包装箱の本体との連結部を折り目として開閉可能に設けられるとともに、蓋の先端に差し込み片である舌片が延設されている。そして、包装箱に商品を収納した後は、差し込み片である舌片を本体に折込むとともに、舌片と本体の側板とを接着剤等で封緘した状態で製品として流通させている。
【０００４】
このような包装箱は、収納される商品が例えば目薬等医薬品の場合などは、製品の他に効能などを記載した説明書が箱の中に同封されることが一般的であるが、最近は、環境保護運動の高まりから、資源の使用量をできるだけ減らすことを目的として、この説明書を省略して代わりに包装箱の内面に種々の記載を行うようにすることが検討されている。
【０００５】
ただ、このような包装箱の記載を読むためには、ハサミ等で包装箱を切断して展開する必要がある。ハサミを使わず手で包装箱を破断しようとすると思わぬ方向に破断してしまい、内面の記載事項が読めなくなることがあるためである。特にバージン性を確保するために開口部を糊付してある箱などの場合、展開時にはがれ残り等が発生すると、記載事項の視認が難しいだけでなく、説明書きの美感も損ない、保管されずに廃棄されてしまう危惧もある。また、記載事項が読めないがために使用方法を間違うということが起こると、医薬品等においては深刻な問題となることも考えられる。
【０００６】
それ故、このような包装箱の場合、内面の記載を読むことができるようにするためには、包装箱を容易にかつ正確に破断して展開できるように構成されていることが求められる。
【０００７】
ところで、このような容易にかつ正確に破断して展開できる包装箱は、また、中に収容されている製品を取り出すことが容易な包装箱としての利点も大きいと考えられている。すなわち、サイズの小さな包装箱などの場合は、商品によっては内容物を取り出しにくいこともあり、高齢化社会の到来に伴い老人人口が増加している現状を鑑みると、容易にかつ正確に破断して展開できる包装箱は、老人でも簡単に製品を取り出すことができるものとして大きな需要があると考えられている。
【０００８】
そこで、最近では、このような事情に鑑みて容易にかつ正確に破断して展開できるものとして、本体にミシン目等の裂開部を入れて破断方向を誘導するように構成した包装箱が種々提案されている。
【０００９】
例えば、特許文献１には、４つの側面板が筒状で且つ折り畳み可能に形成され、上部を開口可能に形成した包装箱であって、側面板に４つの側面板が展開可能なように、切断可能部を形成した内面表示部を有する包装用箱の構成が開示されている。
【特許文献１】特開２００１−５８６３２号公報
【発明の開示】
【発明が解決しようとする課題】
【００１０】
しかしながら、上述の公報に開示された包装箱では、蓋の先端に設けられた差し込み片である舌片が側面板に糊付けされていない包装箱が前提となっている。多くの製品では、流通の段階における商品の改ざん等を防止するために、包装箱に商品を収納した後、差し込み片である舌片を本体に折込むとともに、本体の側板と接着剤等で封緘した状態で製品として流通させている。
【００１１】
上述の公報に開示された包装用箱では、蓋の先端にある舌片が側面板に糊付けされている場合には、展開時にはがれ残り等が発生すると、記載事項の視認が難しいだけでなく、説明書きの美感も損なうという問題がある。このように、上述の公報に開示された包装用箱は、糊付け部を含めて容易にかつ正確に破断して展開することができるというものではなかった。
【００１２】
本発明は上記不具合に鑑みてなされたものであり、蓋の先端に設けられた舌片が側板に糊付けされたものであっても、例えば中に収容されている製品がより取り出し易かったり、内面の説明書きの記載事項を判読可能であるなど、容易にかつ正確に破断して展開することができる包装箱を提供することを課題としている。
【課題を解決するための手段】
【００１３】
上記課題を解決するための本発明は、平面に展開可能な略直方体の包装箱であって、底板及び両側板を有する本体と、この本体の一方の側板に連なって底板に対向する主蓋と、底板の両端に連なる一対の副蓋とを備え、上記一対の副蓋は、それぞれ底板との連結部を折り目として、この折り目を軸にして包装箱の本体に対して開閉可能に設けられるとともに、先端に延設された副蓋舌片と、この副蓋舌片の外面の所定範囲に設定された副蓋糊付け部とを有し、上記主蓋は、本体の一方の側板との連結部を折り目として、この折り目を軸にして包装箱の本体に対して開閉可能に設けられるとともに、先端に延設された主蓋舌片と、主蓋舌片の先端内面に設定された主蓋先端糊付け部と、それぞれの副蓋舌片に重ね合わされる主蓋の各所定範囲に設定されて、副蓋糊付け部にそれぞれ糊付けされる一対の主蓋側端糊付け部とを有し、上記包装箱の本体は、主蓋舌片に重ね合わされる上記他方の側板の所定範囲に設定されて、主蓋糊付け部に糊付けされる側板糊付け部を有し、上記主蓋舌片には、主蓋糊付け部が側板糊付け部に糊付けされた状態で主蓋舌片から分離されるように破断誘導する主蓋先端裂開部が設けられ、上記一対の主蓋側端糊付け部には、主蓋側端糊付け部を囲むように設けられ、主蓋側端糊付け部が副蓋糊付け部に糊付けされた状態で、主蓋から分離されるように破断誘導する主蓋側端裂開部を有していることを特徴とする包装箱である。
【００１４】
本発明によれば、包装箱の主蓋には、主蓋先端裂開部が設けられているので、この主蓋先端裂開部を破断することで、主蓋先端糊付け部が側板糊付け部に糊付けされた状態で主蓋舌片から分離されるように主蓋舌片を容易に破断することができる。
【００１５】
また、主蓋は、両開放側端において主蓋側端糊付け部を囲うように主蓋側端裂開部を有しているので、引き続き主蓋を引きながら、主蓋側端裂開部を破断することにより、主蓋側端糊付け部が副蓋糊付け部に糊付けされた状態で主蓋から分離されるように容易に破断して主蓋と副蓋とを開放することができるようになる。
【００１６】
このように、本発明によれば、主蓋と副蓋の先端に設けられた舌片がそれぞれ側板と主蓋に糊付けされたものであっても、簡単な操作で包装箱を容易にかつ正確に破断して展開することができるようになる。また、各糊付け部におけるはがれ残りも生じない。
【００１７】
ここで、上記主蓋は、主蓋舌片に設けられた引き代を備え、上記主蓋先端糊付け部は、主蓋舌片の先端内面の引き代の両側の一対の所定範囲に設定され、上記側板糊付け部は、一対の主蓋糊付け部に糊付けされるべく、上記他方の側板の一対の所定範囲にそれぞれ設定され、上記主蓋先端裂開部は、引き代の両側に設けられ、一対の主蓋糊付け部がそれぞれ側板糊付け部に糊付けされた状態で主蓋舌片から分離されるように破断誘導するものであることが好ましい。
【００１８】
このようにすれば、主蓋舌片に引き代が設けられ、また、この引き代の両側の一対の所定範囲にそれぞれ主蓋先端糊付け部と側板糊付け部とが糊付けされるので、この引き代を引いて引き代の両側に設けられた主蓋先端裂開部を破断することにより、主蓋先端糊付け部が側板糊付け部に糊付けされた状態で主蓋舌片から分離されるように主蓋舌片を容易に破断することができる。
【００１９】
このように、引き代を引くという一つの動作で包装箱を容易にかつ正確に破断して展開することができるようになる。
【００２０】
また、上記包装箱の本体は、主蓋舌片に重ね合わされる上記他方の側板に設けられた引き代受けスリットを備えていることが好ましい。
【００２１】
このようにすれば、主蓋舌片に重ね合わされる他方の側板に引き代受けスリットが設けられているので、一旦包装箱を破断して主蓋を開放した後に、必要に応じて引き代を引き代受けスリットに挿し込んで、主蓋を閉めた状態に保持することができる。
【００２２】
ここで、上記主蓋側端裂開部の少なくとも一方は、主蓋の開放側端の辺の一の位置から始まり主蓋舌片側に傾く方向に形成された第１の破断誘導部と、上記開放側端の辺に概ね平行に形成された第２の破断誘導部と、上記開放側端の辺の他の位置で終わる第３の破断誘導部とから構成されていることが好ましい。
【００２３】
このようにすれば、主蓋側端裂開部の第１の破断誘導部が、本体の開放側端の辺の一の位置から主蓋舌片側に傾く方向に形成され、第２の破断誘導部が、本体の開放側端の辺に概ね平行に形成されているので、主蓋舌片側から主蓋側端裂開部の破断を行えば、第１の破断誘導部と第２の破断誘導部とからそれることなく容易に主蓋側端裂開部を破断することができる。
【００２４】
また、上記第３の破断誘導部は、第１の破断誘導部に概ね平行に形成されていることが好ましい。
【００２５】
このようにすれば、第３の破断誘導部が、第１の破断誘導部に概ね平行に形成されているので、第３の破断誘導部も第１の破断誘導部と同様に、主蓋舌片側から主蓋側端裂開部の破断を行う際に、破断誘導部からそれることなく主蓋側端裂開部を破断することができる。
【００２６】
また、上記第１の破断誘導部と第２の破断誘導部とは、主蓋舌片に対する最近接部において、それぞれの破断誘導部の破断を誘導する一つの略Ｕ字状の切れ目に接続されているものであることが好ましい。
【００２７】
このようにすれば、第１の破断誘導部と第２の破断誘導部との両方とも、主蓋舌片に対する最近接部に設けられた略Ｕ字状の切れ目に接続されているので、それぞれの破断誘導部を同じタイミングで破断開始することができる結果、スムースに主蓋側端裂開部を破断することができる。
【００２８】
また、少なくとも上記本体および主蓋の内面には、情報を示す表示部が設けられていることが好ましい。
【００２９】
このようにすれば、情報を示す別体の説明書などを省略して資源の使用量をできるだけ減らすことができるようになる。
【００３０】
さらに、各裂開部は、ミシン目で構成されることが好ましいが、必ずしも１種類のミシン目に限らず、異なるミシン目を組み合わせて構成することも採用可能である。中でも破断操作性、製造時の工程適性の観点から、主蓋側端裂開部は、直線と先端に屈曲部を有するミシン目とが組み合わされて構成された破断誘導線を設けることが好ましい。このようにすれば、より容易かつ確実に主蓋側端裂開部を破断することができるとともに、製造時における破損等も少なくすることができる。また、その他、弱め線や、ミシン目と弱め線との組み合わせなど、裂開可能な構成であれば、箱の素材、材質、製品製造時の工程の適性等により適宜、選択可能である。
【発明の効果】
【００３１】
以上説明したように、本発明によれば、蓋の先端に設けられた舌片が側板や主蓋に糊付けされたものであっても、例えば中に収容されている製品をより取り出し易くしたり、内面の説明書きの記載事項をもれなく判読できるなど、包装箱を容易にかつ正確に破断して展開することができるようになる。また、展開時に各糊付け部におけるはがれ残りも生じない。
【発明を実施するための最良の形態】
【００３２】
以下、添付図面を参照しながら本発明の好ましい実施の一形態について詳述する。図１は本発明の実施の形態に係る包装箱１０の構成を示す斜視図であり、図２は本発明の実施の形態に係る包装箱１０の構成を示す展開図である。
【００３３】
図１と図２とに示すように、本発明の実施の形態に係る包装箱１０は、例えば食品、化粧品、医薬品等の包装体として用いられる厚紙から構成される箱であり、平面に展開可能な略直方体の形状をしている。この包装箱１０は、底板１ａ及び両側板１ｂ、１ｃを有する本体１と、この本体１の一方の側板１ｂに連なって底板１ａに対向する主蓋２と、底板１ａの両端に連なる一対の副蓋３とを備えており、少なくとも本体１または主蓋２の内面には、用法や取り扱いの情報を示す表示部４（図２）が設けられている。
【００３４】
上記一対の副蓋３は、それぞれ底板１ａとの連結部３ａを折り目として、この折り目を軸にして包装箱の本体１に対して開閉可能に設けられるとともに、先端に延設された副蓋舌片３ｂと、この副蓋舌片３ｂの外面の所定範囲に設定された副蓋糊付け部３ｃとを有している。
【００３５】
上記主蓋２は、本体１の一方の側板１ｂとの連結部２ａを折り目として、この折り目を軸にして包装箱の本体１に対して開閉可能に設けられるとともに、先端に延設された主蓋舌片２ｂと、この主蓋舌片２ｂに設けられた引き代５と、主蓋舌片２ｂの内面の引き代５の両側の所定範囲に設定された一対の主蓋先端糊付け部２ｃと、それぞれの副蓋舌片３ｂに重ね合わされる主蓋２の各所定範囲に設定されて、副蓋糊付け部３ｃにそれぞれ糊付けされる一対の主蓋側端糊付け部２ｄとを有している。
【００３６】
なお、この主蓋２は、外部から内容物を視認することができるように、開口や透明な素材で窓を設けるように設計することも可能である。
【００３７】
上記包装箱の本体１は、一対の副蓋３とそれぞれ折り合わされるフラップ１ｄ、１ｅおよび１ｆ、１ｇ（図２）と、主蓋舌片２ｂに重ね合わされる他方の側板１ｃの所定範囲に設定された一対の側板糊付け部１ｈとを有しており、この一対の側板糊付け部１ｈは、それぞれ主蓋先端糊付け部２ｃに糊付けされるようになっている。
【００３８】
そして、主蓋舌片２ｂには、一対の主蓋先端糊付け部２ｃがそれぞれこの側板糊付け部１ｈに糊付けされた状態で主蓋舌片２ｂから分離されるように破断誘導するミシン目で構成された主蓋先端裂開部６が設けられている。
【００３９】
また、上記一対の主蓋側端糊付け部２ｄには、主蓋側端糊付け部２ｄを囲むように設けられ、主蓋側端糊付け部２ｄが副蓋糊付け部３ｃに糊付けされた状態で、主蓋２から分離されるように破断誘導するミシン目で構成された主蓋側端裂開部７を有している。
【００４０】
また、上記包装箱の本体１は、主蓋舌片２ｂに重ね合わされる他方の側板１ｃに設けられた引き代受けスリット１ｋを備えており、一旦包装箱を破断して主蓋２を開放した後に、引き代５を引き代受けスリット１ｋに挿し込んで、主蓋２を閉めた状態に保持することができるように構成されている。
【００４１】
ここで、図３は、本発明の実施の形態に係る包装箱１０の主蓋側端裂開部７の構成を示す説明図である。
【００４２】
図３に示すように、主蓋側端裂開部７の少なくとも一方は、主蓋２の開放側端２ｅの辺の一の位置から始まり主蓋舌片２ｂ側に傾く方向に形成された第１の破断誘導部７ａと、開放側端２ｅの辺に概ね平行に形成された第２の破断誘導部７ｂと、開放側端２ｅの辺の他の位置で終わる第３の破断誘導部７ｃとから構成されている。ここで、第１の破断誘導部７ａと、第２の破断誘導部７ｂとは、４５度の角度で交わっている。また、第２の破断誘導部７ｂと、第３の破断誘導部７ｃとも、４５度の角度で交わっており、第３の破断誘導部７ｃは、第１の破断誘導部７ａに概ね平行に形成されている。
【００４３】
さらに、第１の破断誘導部７ａと第２の破断誘導部７ｂとは、主蓋舌片２ｂに対する最近接部において、それぞれの破断誘導部の破断を誘導する一つの略Ｕ字状の切れ目８に接続され、主蓋舌片２ｂ側から破断された場合に、主蓋舌片２ｂに対する最近接部において、それぞれの破断誘導部７ａ、７ｂの破断を同じタイミングで破断開始するように構成されている。
【００４４】
次に図４〜図６を参照して、本発明の実施の形態に係る包装箱１０の作用について説明する。
【００４５】
図４は、引き代５を引くことにより、主蓋先端裂開部６を破断し、一対の主蓋先端糊付け部２ｃがそれぞれこの側板糊付け部１ｈに糊付けされた状態で主蓋舌片２ｂから分離した状態を示す説明図である。
【００４６】
図５は、引き代５をさらに引くことにより、主蓋側端裂開部７を破断し、主蓋側端糊付け部２ｄが副蓋糊付け部３ｃに糊付けされた状態で、主蓋２から分離した状態を示す説明図である。この状態では、主蓋２は、包装箱１０の本体１との連結部２ａを折り目として、この折り目を軸にして包装箱１０の本体１に対して開閉することが可能となっている。また、副蓋３は、包装箱１０の本体１との連結部３ａを折り目として、この折り目を軸にして包装箱１０の本体１に対して開閉することが可能となっている。
【００４７】
この状態では、主蓋舌片２ｂ側から主蓋側端裂開部７の破断を行うので、第１の破断誘導部７ａと第２の破断誘導部７ｂとからそれることなく容易に破断することができる。また、一つの略Ｕ字状の切れ目８が、主蓋側端裂開部７に対する最近接部において、それぞれの破断誘導部７ａ、７ｂの破断を同じタイミングで破断開始する。また、第３の破断誘導部７ｃも第１の破断誘導部７ａと同様に、破断誘導部からそれることなく破断される。
【００４８】
また、このように一旦、主蓋２を開放した後は、図示しないが、引き代５を引き代受けスリット１ｋに挿し込むことにより、主蓋２を再び閉めた状態に保持して箱として再利用することができるようになる。
【００４９】
図６は、主蓋２を開放した後に、さらに引き代５をさらに引くことにより、包装箱１０を概ね平面に展開した状態を示す説明図である。この状態では、主蓋２は、包装箱１０の本体１との連結部２ａを折り目として、この折り目を軸にして包装箱１０の本体１に対して開かれている。そして、本体１の内面１ｊに設けられた情報を示す表示部４がワンステップで判読可能になる。
【００５０】
以上説明したように、本発明の実施の形態に係る包装箱１０によれば、包装箱の主蓋２には、ミシン目で構成された一対の主蓋先端裂開部６が設けられているので、この主蓋先端裂開部６を破断することで、主蓋先端糊付け部２ｃが側板糊付け部１ｈに糊付けされた状態で主蓋舌片２ｂから分離されるように主蓋舌片２ｂを容易に破断することができる。
【００５１】
また、主蓋２は、両開放側端２ｅにおいて主蓋側端糊付け部２ｄを囲うように略コの字状にミシン目で構成された主蓋側端裂開部７を有しているので、引き続き主蓋２を引きながら、主蓋側端裂開部７を破断することにより、主蓋側端糊付け部２ｄが副蓋糊付け部３ｃに糊付けされた状態で主蓋２から分離されるように容易に破断して主蓋２と副蓋３とを開放することができるようになる。
【００５２】
このように、包装箱１０によれば、主蓋２と副蓋３の先端に設けられた舌片２ｂ、３ｂがそれぞれ側板１ｃと主蓋２に糊付けされたものであっても、引き代５を引くという簡単な操作で包装箱を容易にかつ正確に破断して展開することができるようになる。また、各糊付け部におけるはがれ残りも生じない。
【００５３】
また、包装箱１０によれば、主蓋舌片２ｂに引き代５が設けられ、また、この引き代５の両側の一対の所定範囲にそれぞれ主蓋先端糊付け部２ｃと側板糊付け部１ｈとが糊付けされるので、この引き代５を引いて引き代５の両側に設けられた主蓋先端裂開部７を破断することで、主蓋先端糊付け部２ｃが側板糊付け部１ｈに糊付けされた状態で主蓋舌片２ｂから分離されるように主蓋舌片２ｂを容易に破断することができる。
【００５４】
また、包装箱１０によれば、主蓋舌片２ｂに重ね合わされる他方の側板１ｃに引き代受けスリット１ｋが設けられているので、一旦包装箱を破断して主蓋２を開放した後に、引き代５を引き代受けスリット１ｋに挿し込んで、主蓋２を閉めた状態に保持することができる。
【００５５】
また、包装箱１０によれば、主蓋側端裂開部７の第１の破断誘導部７ａが、本体１の開放側端２ｅの辺の一の位置から主蓋舌片２ｂ側に傾く方向に形成され、第２の破断誘導部７ｂが、本体１の開放側端２ｅの辺に概ね平行に形成されているので、主蓋舌片２ｂ側から主蓋側端裂開部７の破断を行えば、第１の破断誘導部７ａと第２の破断誘導部７ｂとからそれることなく容易に破断することができる。
【００５６】
また、包装箱１０によれば、第３の破断誘導部７ｃが、第１の破断誘導部７ａに概ね平行に形成されているので、第３の破断誘導部７ｃも第１の破断誘導部７ａと同様に、主蓋舌片２ｂ側から主蓋側端裂開部７の破断を行う際に、破断誘導部からそれることなく破断することができる。
【００５７】
さらに、包装箱１０によれば、第１の破断誘導部７ａと第２の破断誘導部７ｂとの両方とも、主蓋舌片２ｂに対する最近接部に設けられた略Ｕ字状の切れ目８に接続されているので、それぞれの破断誘導部を同じタイミングで破断開始することができる結果、スムースに各破断誘導部を破断することができる。
【００５８】
このように包装箱１０によれば、包装箱１０を容易にかつ正確に破断して展開することができるとともに内面に説明書を表示することができるので、説明書を省略して資源の使用量をできるだけ減らすことができるようになる。
【００５９】
上述した実施の形態は本発明の好ましい具体例を例示したものに過ぎず、本発明は上述した実施の形態に限定されない。
【００６０】
例えば、包装箱１０は、必ずしも食品、化粧品、医薬品等の包装容器として用いられる箱に限定されない。家電、玩具その他の分野の包装容器に適用可能である。
【００６１】
次に、包装箱１０に用いることができる素材、材料、厚み等は、表示部４に説明等を記載し、破断展開が容易との観点においては、厚紙、ボール紙等の紙が好ましいが、本発明により得られる効果を妨げない限り、製品製造時の工程の適性等によりプラスチックシートや、薄紙など種々の材質が適宜、選択できる。また、包装箱１０について吊り下げ販売が可能なように、フックなどのひっかけ部材や吊り下げ用台紙などの吊り下げ部材等を付設してもよい。
【００６２】
また、各裂開部は、必ずしも１種類のミシン目に限らず、異なるミシン目を組み合わせて構成することも採用可能である。中でも破断操作性、製造時の工程適性の観点から、主蓋側端裂開部７は、直線と先端に屈曲部を有するミシン目とが組み合わされて構成された破断誘導線を設けることが好ましい。このようにすれば、より容易かつ確実に主蓋側端裂開部７を破断することができるとともに、製造時における破損等も少なくすることができる。また、その他、弱め線や、ミシン目と弱め線との組み合わせなど、裂開可能な構成であれば、箱の素材、材質、製品製造時の工程の適性等により適宜、選択可能である。
【００６３】
また、表示部４の説明書きには、用法や取り扱いの説明だけでなく、その他注意書きや、製品の管理番号などにも適用可能であるなど、内容については種々の変更が可能である。
【００６４】
また、第１の破断誘導部７ａと、第２の破断誘導部７ｂとの交角、および第２の破断誘導部７ｂと、第３の破断誘導部７ｃとの交角は、必ずしも図示のように４５度である必要はなく、その他の角度に変更可能である。
【００６５】
なお、主蓋先端糊付け部２ｃ、側板糊付け部１ｈ、主蓋側端糊付け部２ｄ、副蓋糊付け部３ｃは、少なくともそれぞれ接着対応する糊付け部のどちらか一方に糊が付けられて貼り合わせが可能になっていればよく、必ずしも両方に糊が付けられる必要はない。
【００６６】
その他、本発明の特許請求の範囲内で種々の設計変更が可能であることはいうまでもない。
【図面の簡単な説明】
【００６７】
【図１】本発明の実施の形態に係る包装箱の構成を示す斜視図である。
【図２】本発明の実施の形態に係る包装箱の構成を示す展開図である。
【図３】本発明の実施の形態に係る包装箱の主蓋側端裂開部の構成を示す説明図である。
【図４】引き代を引くことにより、主蓋先端裂開部を破断し、一対の主蓋先端糊付け部がそれぞれこの側板糊付け部に糊付けされた状態で主蓋舌片から分離した状態を示す説明図である。
【図５】引き代をさらに引くことにより、主蓋側端裂開部を破断し、主蓋側端糊付け部が副蓋糊付け部に糊付けされた状態で、主蓋から分離した状態を示す説明図である。
【図６】主蓋を開放した後に、さらに引き代をさらに引くことにより、包装箱を概ね平面に展開した状態を示す説明図である。
【符号の説明】
【００６８】
１      本体
１ａ    底板
１ｂ、１ｃ      側板
１ｈ    側板糊付け部
１ｋ    引き代受けスリット
２      主蓋
２ｂ    主蓋舌片
２ｃ    主蓋先端糊付け部
２ｄ    主蓋側端糊付け部
３      副蓋
３ａ    底板との連結部
３ｂ    副蓋舌片
３ｃ    副蓋糊付け部
４      表示部
５      引き代
６      主蓋先端裂開部
７      主蓋側端裂開部
７ａ    第１の破断誘導部
７ｂ    第２の破断誘導部
７ｃ    第３の破断誘導部
８      切れ目
１０    包装箱
【図１】
2005324821.tif 000003
【図２】
2005324821.tif 000004
【図３】
2005324821.tif 000005
【図４】
2005324821.tif 000006
【図５】
2005324821.tif 000007
【図６】
2005324821.tif 000008